(57)【特許請求の範囲】
【請求項１】
ロック画面に対する接触による接触範囲の面積を少なくとも検出するタッチスクリーンディスプレイと、
ロック状態において前記ロック画面を前記タッチスクリーンディスプレイに表示させ、前記タッチスクリーンディスプレイによって検出される接触に基づいて前記ロック状態を解除するコントローラと
を備え、
前記コントローラは、前記ロック状態を解除する条件として、前記面積の大きさの変化および当該面積の大きさが変化する際の当該接触範囲の中心の移動を含む装置。
【請求項２】
前記タッチスクリーンディスプレイは、前記接触範囲の形状をさらに検出し、
前記コントローラは、さらに前記形状の変化に基づいて前記ロック状態を解除する請求項１に記載の装置。
【請求項３】
前記タッチスクリーンディスプレイは、前記接触範囲の回転方向をさらに検出し、
前記コントローラは、さらに前記回転方向に基づいて前記ロック状態を解除する請求項１または２に記載の装置。
【請求項４】
ロック画面に対する接触による接触範囲の形状を少なくとも検出するタッチスクリーンディスプレイと、
ロック状態において前記ロック画面を前記タッチスクリーンディスプレイに表示させ、前記タッチスクリーンディスプレイによって検出される接触に基づいて前記ロック状態を解除するコントローラと
を備え、
前記コントローラは、前記ロック状態を解除する条件として、前記形状の変化および当該形状が変化する際の当該接触範囲の中心の移動を含む装置。
【請求項５】
タッチスクリーンディスプレイを備える装置を制御する方法であって、
ロック状態においてロック画面を前記タッチスクリーンディスプレイに表示するステップと、
前記ロック画面に対する接触による接触範囲の面積の大きさの変化を前記タッチスクリーンディスプレイによって検出するステップと、
前記面積の大きさの変化および当該面積の大きさが変化する際の当該接触範囲の中心の移動に基づいて前記ロック状態を解除するステップと
を含む方法。
【請求項６】
タッチスクリーンディスプレイを備える装置に、
ロック状態においてロック画面を前記タッチスクリーンディスプレイに表示するステップと、
前記ロック画面に対する接触による接触範囲の面積の大きさの変化を前記タッチスクリーンディスプレイによって検出するステップと、
前記面積の大きさの変化および当該面積の大きさが変化する際の当該接触範囲の中心の移動に基づいて前記ロック状態を解除するステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者によって操作されない時間が一定時間よりも継続するとロック状態へ移行する。ロック状態において、タッチスクリーンデバイスは、特定の操作を除いて、利用者の操作を受け付けない。特定の操作とは、例えば、ロック状態を解除するためのロック解除操作である。
【０００６】
タッチスクリーンデバイスは、頻繁にロック状態へ移行する。そのため、利用者がロック解除操作を行う頻度は高い。このような理由により、ロック解除操作の操作性を向上させることができる装置、方法、及びプログラムに対するニーズがある。
【課題を解決するための手段】
【０００７】
１つの態様に係る装置は、ロック画面に対する接触による接触範囲の面積を少なくとも検出するタッチスクリーンディスプレイと、ロック状態において前記ロック画面を前記タッチスクリーンディスプレイに表示させ、前記タッチスクリーンディスプレイによって検出される前記面積の変化に基づいて前記ロック状態を解除するコントローラと、を備える。
【０００８】
１つの態様に係る方法は、タッチスクリーンディスプレイを備える装置を制御する方法であって、ロック状態において前記ロック画面を前記タッチスクリーンディスプレイに表示するステップと、前記ロック画面に対する接触による接触範囲の面積を前記タッチスクリーンディスプレイによって検出するステップと、前記面積の変化に基づいて前記ロック状態を解除するステップと、を含む。
【０００９】
１つの態様に係るプログラムは、タッチスクリーンディスプレイを備える装置に、ロック状態において前記ロック画面を前記タッチスクリーンディスプレイに表示するステップと、前記ロック画面に対する接触による接触範囲の面積を前記タッチスクリーンディスプレイによって検出するステップと、前記面積の変化に基づいて前記ロック状態を解除するステップと、を実行させる。
【図面の簡単な説明】
【００１０】
【図１】図１は、実施形態に係るスマートフォンの斜視図である。
【図２】図２は、スマートフォンの正面図である。
【図３】図３は、スマートフォンの背面図である。
【図４】図４は、ホーム画面の一例を示す図である。
【図５】図５は、スマートフォンの構成を示すブロック図である。
【図６】図６は、ロック状態の解除の例を示す図である。
【図７】図７は、ロック解除操作の例を示す図である。
【図８】図８は、ロック解除操作が行われる場合に検出される接触の例を示す図である。
【図９】図９は、ロック解除操作の他の例を示す図である。
【図１０】図１０は、ロック解除操作が行われる場合に検出される接触の他の例を示す図である。
【図１１】図１１は、ロック解除操作の他の例を示す図である。
【図１２】図１２は、ロック解除操作が行われる場合に検出される接触の他の例を示す図である。
【図１３】図１３は、ロック状態解除処理の処理手順を示すフローチャートである。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネルディスプレイ（Ｏｒｇａｎｉｃ  Ｅｌｅｃｔｒｏ−Ｌｕｍｉｎｅｓｃｅｎｃｅ  Ｐａｎｅｌ  Ｄｉｓｐｌａｙ）、又は無機ＥＬパネルディスプレイ（Ｉｎｏｒｇａｎｉｃ  Ｅｌｅｃｔｒｏ−Ｌｕｍｉｎｅｓｃｅｎｃｅ  Ｐａｎｅｌ  Ｄｉｓｐｌａｙ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ移動しながらリリースするジェスチャである。スマートフォン１は、タッチに続いて指が一方方向へ移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。スマートフォン１は、壁紙４１として表示する画像を利用者が選択できるように構成されてもよい。
【００２８】
スマートフォン１は、複数のホーム画面を含むことができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、左から２番目のホーム画面が現在ディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３４】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３５】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３６】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３７】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３８】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００３９】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４０】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４１】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４２】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４３】
ストレージ９は、例えば、制御プログラム９Ａ、メールアプリケーション９Ｂ、ブラウザアプリケーション９Ｃ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。設定データ９Ｚは、スマートフォン１の動作に関する各種の設定に関する情報を含む。
【００４４】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されるジェスチャに応じて、ロック状態を解除する機能が含まれる。制御プログラム９Ａが提供する機能は、メールアプリケーション９Ｂ等の他のプログラムが提供する機能と組み合わせて利用されることがある。
【００４５】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４６】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４７】
コントローラ１０は、例えば、制御プログラム９Ａを実行することにより、タッチスクリーン２Ｂを介して検出されるジェスチャに応じて、ロック状態を解除する。
【００４８】
カメラ１２は、フロントフェイス１Ａに面している物体を撮影するインカメラである。カメラ１３は、バックフェイス１Ｂに面している物体を撮影するアウトカメラである。
【００４９】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５０】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５１】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５２】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５３】
図６を参照しながら、制御プログラム９Ａが提供する機能に基づくスマートフォン１の動作の例について説明する。図６は、ロック状態の解除の例を示す図である。「ロック状態」とは、スマートフォン１が、特定の操作を除いて、操作を受け付けない状態をいう。スマートフォン１は、例えば、操作が検出されない時間が一定時間より長く継続した場合、又はロック状態への移行を指示する操作が検出された場合に、ロック状態へ移行する。
【００５４】
ロック状態において、スマートフォン１は、通常は、電力消費の抑制及び誤動作防止のために、タッチスクリーンディスプレイ２の動作を停止させる。すなわち、スマートフォン１は、ディスプレイ２Ａに何も表示させず、タッチスクリーン２Ｂにジェスチャの検出を行わせない。
【００５５】
利用者は、通話等のためにロック状態を解除したい場合、以下の様な操作を行う。まず、利用者は、ロック画面６０をディスプレイ２Ａに表示させるための操作を行う。ロック画面６０は、ロック状態を解除するためのロック解除操作を受け付ける画面である。ロック画面６０を表示させるための操作は、例えば、ボタン３のいずれかを押下する操作である。
【００５６】
スマートフォン１は、ロック画面６０を表示させるための操作を検出すると、タッチスクリーンディスプレイ２を有効化し、図６のステップＳ１１に示すようなロック画面６０をディスプレイ２Ａに表示させる。ロック画面６０は、操作領域６１を含む。操作領域６１は、ロック解除操作を検出する領域である。スマートフォン１は、ロック解除操作がタッチスクリーン２Ｂによって検出されると、ロック状態を解除する。ロック解除操作は、例えば、指がタッチスクリーンディスプレイ２に接触する範囲の面積を徐々に増大させる操作である。
【００５７】
ロック状態を解除した後、スマートフォン１は、種々の処理を実行するための操作を受け付ける状態になる。例えば、スマートフォン１は、図６のステップＳ１２に示すように、ホーム画面４０をディスプレイ２Ａに表示させ、タップされたアイコン５０に対応するアプリケーションを実行する。スマートフォン１は、ロック状態を解除した後、ロック状態への移行前に表示されていた画面をディスプレイ２Ａに表示させてもよい。
【００５８】
次に、図７及び図８を参照しながら、ロック解除操作について説明する。図７は、ロック解除操作の例を示す図である。図８は、ロック解除操作が行われる場合に検出される接触の例を示す図である。図７及び図８は、ロック解除操作として、指がタッチスクリーンディスプレイ２に接触する範囲の面積が徐々に増大する操作を検出する場合の例を示している。図７において、スマートフォン１は、断面図として模式的に図示されている。
【００５９】
図７のステップＳ２１に示すように、ロック画面６０が表示された後、利用者は、ロック状態を解除するために指Ｆ１を操作領域６１に近づける。利用者が指Ｆ１を操作領域６１にさらに近づけると、ステップＳ２２に示すように、指Ｆ１の先端が操作領域６１内でタッチスクリーンディスプレイ２と接触する。利用者が指Ｆ１を操作領域６１にさらに近づけると、ステップＳ２３に示すように、指Ｆ１がタッチスクリーンディスプレイ２と接触する面積が増大する。
【００６０】
続いて、利用者が、指Ｆ１の付け根により近い部分がタッチスクリーンディスプレイ２と接触するように指Ｆ１の角度を変更すると、ステップＳ２４に示すように、指Ｆ１がタッチスクリーンディスプレイ２と接触する面積がさらに増大する。ステップＳ２４では、指Ｆ１が、ステップＳ２３の時点の指Ｆ１よりも、タッチスクリーンディスプレイ２の表面と平行に近くなっている。
【００６１】
続いて、利用者が、指Ｆ１の付け根により近い部分がタッチスクリーンディスプレイ２と接触するように指Ｆ１の角度をさらに変更すると、ステップＳ２５に示すように、指Ｆ１がタッチスクリーンディスプレイ２と接触する面積がさらに増大する。ステップＳ２５では、指Ｆ１が、ステップＳ２４の時点の指Ｆ１よりも、タッチスクリーンディスプレイ２の表面と平行に近くなっている。
【００６２】
このような操作が行われた場合、図８に示すように、タッチスクリーン２Ｂによって接触が検出される範囲の面積が変化する。具体的には、図７に示すステップＳ２１の段階では、ステップＳ３１に示すように、接触は検出されない。図７に示すステップＳ２２のように指Ｆ１の先端が操作領域６１内でタッチスクリーンディスプレイ２と接触すると、ステップＳ３２に示すように、操作領域６１内の範囲Ｒ１で接触が検出される。この段階での範囲Ｒ１の面積は小さい。
【００６３】
その後、指Ｆ１が操作領域６１にさらに近づくにつれて、接触が検出される範囲Ｒ１の面積が徐々に大きくなり、指Ｆ１がステップＳ２３の位置まで到達すると、範囲Ｒ１は、ステップＳ３３に示す大きさになる。ステップＳ３２からステップＳ３３までは、範囲Ｒ１の中心Ｐ１の位置はほぼ一定である。
【００６４】
その後、図７に示すステップＳ２４及びステップＳ２５のように利用者が指Ｆ１の付け根により近い部分をタッチスクリーンディスプレイ２に接触させると、ステップＳ３４及びステップＳ３５に示すように、接触が検出される範囲Ｒ１の面積は徐々に大きくなる。ステップＳ３３からステップＳ３５までは、範囲Ｒ１の中心Ｐ１の位置は、指Ｆ１の付け根の方向へ徐々に移動する。
【００６５】
スマートフォン１は、操作領域６１内で接触が検出される範囲Ｒ１の面積が図８に示すように変化した場合にロック状態を解除する。具体的には、スマートフォン１は、各段階での範囲Ｒ１の面積、最大時の範囲Ｒ１の面積等の範囲Ｒ１の面積の変化に関する条件を解除パターンとして設定データに記憶しておく。そして、スマートフォン１は、タッチスクリーン２Ｂの検出結果と解除パターンとを照合し、適合率が閾値より高い場合にロック状態を解除する。
【００６６】
このように、接触が検出される範囲の面積の変化に関する条件を解除パターンとして用いることにより、利用者は、スワイプのような指を大きく移動させる操作を行うことなく、少ない操作量でスマートフォン１のロック状態を解除することができる。さらに、図８に示したような、接触が検出される範囲Ｒ１の面積の変化は、偶然には検出されにくいので、誤ってロックスクリーンが解除されることを抑制できる。
【００６７】
スマートフォン１は、接触が検出される範囲Ｒ１の面積に加えて、接触が検出され始めてから範囲Ｒ１が最大になるまでに要する時間等の時間に関する条件を解除パターンとして記憶してもよい。このような構成により、スマートフォン１は、接触が検出される範囲Ｒ１の面積のみを解除パターンとして含む場合と比較して、誤操作又は誤動作によってロック状態が解除される可能性を低くすることができる。
【００６８】
スマートフォン１は、予め利用者によって行われた操作に基づいて解除パターンを設定してもよい。具体的には、スマートフォン１は、利用者の指示に従って、ロック画面６０又は同様の画面をディスプレイ２Ａに表示し、タッチスクリーンディスプレイ２と接触する範囲の面積を徐々に増加させる操作を操作領域６１内で行うように利用者に求める。そして、スマートフォン１は、タッチスクリーン２Ｂの検出結果に基づいて解除パターンを設定する。このように、利用者によって行われた操作に基づいて解除パターンを設定することにより、ロック解除操作の再現性が高まり、ロック解除操作が正しく検出される可能性が高くなる。
【００６９】
解除パターンに含まれる条件は、接触が検出される範囲の面積の変化に関する条件に限定されない。例えば、解除パターンは、接触が検出される範囲Ｒ１の中心Ｐ１の移動に関する条件をさらに含んでもよい。図７に示したような操作が行われる場合、図８に示したように、範囲Ｒ１の中心Ｐ１は、ステップＳ３３まではほぼ一定である。そして、利用者が指Ｆ１の付け根により近い部分をタッチスクリーンディスプレイ２に接触させるにつれて、ステップＳ３４及びステップＳ３５に示すように、中心Ｐ１は、操作領域６１の端部の１つに近付いていく。範囲Ｒ１の面積の変化に関する条件と対応付けて、このような中心Ｐ１の移動に関する条件を解除パターンに含めることにより、図７に示したような２段階の操作を、指を単純にタッチスクリーンディスプレイ２に押し付ける操作と区別することができる。
【００７０】
解除パターンは、接触が検出される範囲Ｒ１の面積の変化に関する条件に代えて、又はこれに加えて、接触が検出される範囲Ｒ１の形状の変化に関する条件を含んでもよい。例えば、図７に示したような操作が行われる場合、図８に示したように、範囲Ｒ１の形状は、ステップＳ３３まではほぼ一定である。そして、利用者が指Ｆ１の付け根により近い部分をタッチスクリーンディスプレイ２に接触させるにつれて、ステップＳ３４及びステップＳ３５に示すように、範囲Ｒ１の形状は、指Ｆ１の先端から付け根の方向に長くなる。
【００７１】
スマートフォン１は、例えば、図８に示した範囲Ｒ１の各段階での形状を、接触が検出される範囲の形状の変化に関する条件として解除パターンに含める。この場合、スマートフォン１は、操作領域６１において、解除パターンに含まれる形状が適切な順序で検出された場合にロック状態を解除する。あるいは、スマートフォン１は、図８に示した範囲Ｒ１のそれぞれの形状を、範囲Ｒ１がその形状になるまでに要する時間と対応付けて、接触が検出される範囲の形状の変化に関する条件として解除パターンに含める。この場合、スマートフォン１は、操作領域６１において、解除パターンに含まれる形状が適切な順序で、かつ、適切なタイミングで検出された場合にロック状態を解除する。
【００７２】
解除パターンが、接触が検出される範囲の形状の変化に関する条件のみを含む場合でも、利用者は、スワイプのような指を大きく移動させる操作を行うことなく、少ない操作量でスマートフォン１のロック状態を解除することができる。さらに、図８に示したような、接触が検出される範囲Ｒ１の形状の変化は、偶然には検出されにくいので、誤ってロックスクリーンが解除されることを抑制できる。解除パターンが、接触が検出される範囲の面積の変化に関する条件と接触が検出される範囲の形状の変化に関する条件の両方を含む場合、誤操作又は誤動作によってロック状態が解除される可能性がさらに低くなる。
【００７３】
ロック解除操作は、指がタッチスクリーンディスプレイ２に接触する範囲の面積が徐々に増大する操作に限定されない。ロック解除操作の他の例について以下で説明する。
【００７４】
図９は、ロック解除操作の他の例を示す図である。図１０は、ロック解除操作が行われる場合に検出される接触の他の例を示す図である。図９及び図１０は、ロック解除操作として、指がタッチスクリーンディスプレイ２に接触する範囲の面積が徐々に減少する操作を検出する場合の例を示している。図９において、スマートフォン１は、断面図として模式的に図示されている。
【００７５】
図９のステップＳ４１に示すように、ロック画面６０が表示された後、利用者は、指Ｆ１がタッチスクリーンディスプレイ２の表面と平行に近い状態で、ロック状態を解除するために指Ｆ１を操作領域６１に近づける。利用者が指Ｆ１を操作領域６１にさらに近づけると、ステップＳ４２に示すように、指Ｆ１の腹の部分が操作領域６１内でタッチスクリーンディスプレイ２と接触する。利用者が指Ｆ１を操作領域６１にさらに近づけると、ステップＳ４３に示すように、指Ｆ１がタッチスクリーンディスプレイ２と接触する面積が増大する。
【００７６】
続いて、利用者が、指Ｆ１の付け根に近い部分がタッチスクリーンディスプレイ２から離れるように指Ｆ１の角度を変更すると、ステップＳ４４に示すように、指Ｆ１がタッチスクリーンディスプレイ２と接触する面積が減少する。ステップＳ２４では、指Ｆ１が、ステップＳ４３の時点の指Ｆ１よりも、タッチスクリーンディスプレイ２の表面と垂直に近くなっている。
【００７７】
続いて、利用者が、指Ｆ１の付け根に近い部分がタッチスクリーンディスプレイ２から離れるように指Ｆ１の角度をさらに変更すると、ステップＳ４５に示すように、指Ｆ１がタッチスクリーンディスプレイ２と接触する面積がさらに減少する。ステップＳ４５では、指Ｆ１が、ステップＳ４４の時点の指Ｆ１よりも、タッチスクリーンディスプレイ２の表面と垂直に近くなっている。
【００７８】
このような操作が行われた場合、図１０に示すように、タッチスクリーン２Ｂによって接触が検出される範囲の面積及び形状が変化する。具体的には、図９に示すステップＳ４１の段階では、ステップＳ５１に示すように、接触は検出されない。図９に示すステップＳ４２のように指Ｆ１の腹の部分が操作領域６１内でタッチスクリーンディスプレイ２と接触すると、ステップＳ５２に示すように、操作領域６１内の範囲Ｒ１で接触が検出される。この段階での範囲Ｒ１の面積は小さい。
【００７９】
その後、指Ｆ１が操作領域６１にさらに近づくにつれて、接触が検出される範囲Ｒ１の面積が徐々に大きくなり、指Ｆ１がステップＳ４３の位置まで到達すると、範囲Ｒ１の面積は、ステップＳ５３に示すように最大になる。ステップＳ５２からステップＳ５３までは、範囲Ｒ１の中心Ｐ１の位置はほぼ一定である。ステップＳ５３では、範囲Ｒ１は、指Ｆ１の先端から付け根の方向に長い形状を有する。
【００８０】
その後、図９に示すステップＳ４４及びステップＳ４５のように利用者が指Ｆ１の付け根に近い部分をタッチスクリーンディスプレイ２から離すと、ステップＳ５４及びステップＳ５５に示すように、接触が検出される範囲Ｒ１の面積は徐々に小さくなる。ステップＳ５３からステップＳ５５までは、範囲Ｒ１の中心Ｐ１の位置は、指Ｆ１の先端の方向へ徐々に移動する。さらに、ステップＳ５３からステップＳ５５までは、範囲Ｒ１の形状は、指Ｆ１の先端から付け根の方向に長い形状から、指Ｆ１の先端から付け根の方向と直行する方向に長い形状又は円形へ徐々に変化する。
【００８１】
スマートフォン１は、このように、範囲Ｒ１の面積が一旦増大した後に徐々に減少する場合における範囲Ｒ１の面積及び形状の少なくとも一方の変化に関する条件を解除パターンとして記憶してもよい。スマートフォン１は、中心Ｐ１の位置及び時間に関する条件をさらに解除パターンに含めてもよい。
【００８２】
図１１は、ロック解除操作の他の例を示す図である。図１２は、ロック解除操作が行われる場合に検出される接触の他の例を示す図である。図１１及び図１２は、ロック解除操作として、操作領域６１においてタッチスクリーンディスプレイ２に接触した指が回転する操作を検出する場合の例を示している。
【００８３】
図１１のステップＳ６１に示すように、ロック画面６０が表示された後、利用者は、ロック状態を解除するために指Ｆ１を操作領域６１内でタッチスクリーンディスプレイ２と接触させる。続いて、利用者は、ステップＳ６２及びステップＳ６３に示すように、タッチスクリーンディスプレイ２との接触を保ったままで、指Ｆ１をタッチスクリーンディスプレイ２の表面と平行に回転させる。図１１に示す例では、指Ｆ１は、反時計回りに約４５度回転している。
【００８４】
このような操作が行われた場合、図１２に示すように、タッチスクリーン２Ｂによって接触が検出される範囲の面積及び形状が変化する。具体的には、図１２に示すステップＳ７１からステップＳ７３のように、指Ｆ１がタッチスクリーンディスプレイ２に十分に接触するまで、操作領域６１内で接触が検出される範囲Ｒ１の面積は徐々に増大する。この間、範囲Ｒ１の中心Ｐ１の位置はほぼ一定である。指Ｆ１がタッチスクリーンディスプレイ２に完全に接触するステップＳ７３では、範囲Ｒ１は、指Ｆ１の先端から付け根の方向に長い形状を有する。
【００８５】
その後、図１１に示すステップＳ６２及びステップＳ６３のように利用者が指Ｆ１を回転させると、範囲Ｒ１の形状は、ステップＳ７３からステップＳ７５に示すように、指Ｆ１の回転に合わせて、別の方向に長い形状に変化する。この間、範囲Ｒ１の面積及び範囲Ｒ１の中心Ｐ１の位置はほぼ一定である。
【００８６】
スマートフォン１は、このように、範囲Ｒ１の面積が一旦増大した後に指Ｆ１の回転に合わせて範囲Ｒ１の形状が徐々に変化する場合における範囲Ｒ１の面積及び形状の少なくとも一方の変化に関する条件を解除パターンとして記憶してもよい。スマートフォン１は、範囲Ｒ１の形状が変化する方向、すなわち、範囲Ｒ１が長い方向が変化する方向に関する条件を解除パターンに含めてもよい。例えば、スマートフォン１は、範囲Ｒ１が第１の方向に長い形状で検出され、その後、範囲Ｒ１が第１の方向から反時計回りに４５度回転した第２の方向に長い形状へ変化することを解除パターンとして記憶してもよい。
【００８７】
図１３を参照しながら、制御プログラム９Ａが提供する機能に基づく制御の処理手順の例について説明する。図１３は、ロック状態解除処理の処理手順を示している。図１３に示す処理手順は、コントローラ１０が、制御プログラム９Ａを実行することによって実現される。図１３に示す処理手順は、ロック画面６０がディスプレイ２Ａに表示される場合に実行される。
【００８８】
コントローラ１０は、ステップＳ１０１として、ロック画面６０をディスプレイ２Ａに表示する。続いて、コントローラ１０は、ステップＳ１０２として、操作領域６１に対する操作の検出結果をタッチスクリーン２Ｂから取得する。そして、コントローラ１０は、ステップＳ１０３として、操作領域６１において接触が検出された範囲Ｒ１の面積及び形状の少なくとも一方を解除パターンと比較する。コントローラ１０は、範囲Ｒ１の中心Ｐ１の位置の変化および範囲Ｒ１が変化に要した時間の少なくとも一方をさらに解除パターンと比較してもよい。
【００８９】
比較に基づいて算出された適合率が閾値よりも高い場合（ステップＳ１０４，Ｙｅｓ）、コントローラ１０は、ステップＳ１０５として、ロック状態を解除する。そして、コントローラ１０は、ロック状態解除処理を終了させる。
【００９０】
比較に基づいて算出された適合率が閾値よりも高くない場合（ステップＳ１０４，Ｎｏ）、コントローラ１０は、ステップＳ１０６として、ロック画面６０の消去指示が発行されたかを判定する。ロック画面の消去指示は、例えば、利用者がボタン３のいずれかを押下する等の操作を行った場合、又はロック画面６０を表示したままで操作が検出されない時間が一定時間より長く継続した場合に発行される。ロック画面６０の消去指示が発行された場合（ステップＳ１０６，Ｙｅｓ）、コントローラ１０は、ステップＳ１０７として、ロック画面６０を消去し、タッチスクリーンディスプレイ２の動作を停止させる。そして、コントローラ１０は、ロック状態解除処理を終了させる。
【００９１】
ロック画面６０の消去指示が発行されていない場合（ステップＳ１０６，Ｎｏ）、コントローラ１０は、ステップＳ１０２以降を再実行する。
【００９２】
本出願の開示する実施形態は、発明の要旨を変更しない範囲で変更することができる。さらに、本出願の開示する実施形態及びその変形例は、適宜組み合わせることができる。例えば、上記の実施形態は、以下のように変形してもよい。
【００９３】
例えば、図５に示した各プログラムは、複数のモジュールに分割されていてもよい。あるいは、図５に示した各プログラムは、他のプログラムと結合されていてもよい。
【００９４】
上記の実施形態では、１本の指による操作に基づいてロック状態を解除する例を示したが、スマートフォン１は、複数の指による操作に基づいてロック状態を解除してもよい。すなわち、スマートフォン１は、複数の指のそれぞれがタッチスクリーンディスプレイ２と接触する範囲の面積及び形状の少なくとも一方の変化に基づいてロック状態を解除してもよい。
【００９５】
上記の実施形態では、ロック解除操作を操作領域６１内で検出する例を示したが、スマートフォン１は、ロック画面６０上のどの領域でもロック解除操作を検出するように構成されてもよい。
【００９６】
スマートフォン１は、上述した複数の解除パターンを組み合わせたパターンを解除パターンとして記憶してもよい。例えば、スマートフォン１は、指がタッチスクリーンディスプレイ２に接触する範囲の面積を徐々に増大させる操作と、タッチスクリーンディスプレイ２に接触したままで指が回転する操作と、指がタッチスクリーンディスプレイ２に接触する範囲の面積が徐々に減少する操作とが連続して実行される際に検出される範囲Ｒ１の面積及び形状の少なくとも一方の変化に関する条件を解除パターンとして記憶してもよい。スマートフォン１は、指がタッチスクリーンディスプレイ２に接触する範囲の面積を徐々に増大させる操作と、指がタッチスクリーンディスプレイ２に接触する範囲の面積が徐々に減少する操作とが所定の回数繰り返して実行される際に検出される範囲Ｒ１の面積及び形状の少なくとも一方の変化に関する条件を解除パターンとして記憶してもよい。
【００９７】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【００９８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９９】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１１    スピーカ
１２、１３  カメラ
１４    コネクタ
１５    加速度センサ 
１６    方位センサ
１７    ジャイロスコープ
２０    ハウジング
【図１】
0005848970.tif 000002
【図２】
0005848970.tif 000003
【図３】
0005848970.tif 000004
【図４】
0005848970.tif 000005
【図５】
0005848970.tif 000006
【図６】
0005848970.tif 000007
【図７】
0005848970.tif 000008
【図８】
0005848970.tif 000009
【図９】
0005848970.tif 000010
【図１０】
0005848970.tif 000011
【図１１】
0005848970.tif 000012
【図１２】
0005848970.tif 000013
【図１３】
0005848970.tif 000014